(57)【要約】【課題】  切断角度を垂直切断を含む傾斜角度をつけて斜めに切断する機能を備えた切断装置及び切断方法の提供。【解決手段】  モータ駆動装置１、駆動伝達機構２、カッター刃３からなる切断装置において、前後に移動用車輪を備えた機体フレーム５に、モータ駆動装置１を搭載した基盤６を機体フレーム５上に重ねるように配設し、カッター刃３及びカッター刃３の回転軸３２を非切断時、切断時に応じて上下動する可動軸受８を介して支持するカッター刃支持板９を基盤６の縁部に垂直に固設し、この同一側縁部において基盤６と機体フレーム５を蝶番部７を用いて回動傾斜自在に接続し、カッター刃支持板９を基盤６と共に傾斜自在に傾斜角度調節機構Ｋ２を備えると共にカッター刃３をカッター刃支持板９の所定傾斜角度に沿って上下動させる上下動機構Ｋ１を設け、路面等の垂直または傾斜切断操作自在としたことを特徴とする。【選択図】        図１
2005097971.tif 000002
【特許請求の範囲】
【請求項１】
モータ駆動装置、駆動伝達機構、カッター刃からなる切断装置において、前後に移動用車輪を備えた機体フレームに、前記モータ駆動装置を搭載した基盤を前記機体フレーム上に重ねるように配設し、カッター刃及びカッター刃の回転軸を非切断時、切断時に応じて上下動する可動軸受を介して支持するカッター刃支持板を前記基盤の縁部に垂直に固設し、この同一側縁部において前記基盤と前記機体フレームを蝶番部を用いて回動傾斜自在に接続し、前記カッター刃支持板を前記基盤と共に傾斜自在に傾斜角度調節機構を備えると共に前記カッター刃を前記カッター刃支持板の所定傾斜角度に沿って上下動させる上下動機構を設け、路面等の垂直または傾斜切断操作自在としたことを特徴とする切断装置。
【請求項２】
エンジン駆動装置、駆動伝達機構、カッター刃からなる切断装置において、前後に移動用車輪を備えた機体フレームに、エンジン駆動装置を搭載したエンジンベースを前記機体フレームの上に重ねるように配設し、該エンジンベースを上下動機構にてリンク部材を介して前記機体フレームの上方に浮上させる折畳機構を有し、且つ機体フレームの一側縁部に蝶番部を設け、該蝶番部を介してカッター刃及びカッター刃の回転軸を非切断、切断時に応じて上下動する可動軸受を介して支持するカッター刃支持板を設け、前記エンジンベースに軸受部材を介して平行に設けた駆動伝達軸を自在軸継手を介し、可傾回動自在に伸延してなる伸延軸を設け、更に該伸延軸に駆動伝達回転体を軸着し、該駆動伝達回転体を介してカッター刃の回転軸を回転駆動させ、更に前記カッター刃をカッター刃支持板の所定傾斜角度に沿って上下動させる上下動機構を有し、路面等の垂直または傾斜切断操作自在としたことを特徴とする切断装置。
【請求項３】
前記傾斜角度調節機構及び上下動機構は流体圧駆動装置から成ることを特徴とする請求項１または２記載の切断装置。
【請求項４】
前記傾斜角度調節機構及び上下動機構はネジ式駆動装置から成ることを特徴とする請求項１または２記載の切断装置。
【請求項５】
折畳機構は、エンジン駆動装置を搭載したエンジンベースを機体フレームの上面に上下方向に重ねるように配設し、複数のリンク部材にて軸支して折畳み開閉自在な平行四辺形を形成し、該平行四辺形の変化に応じて移動する駆動伝達軸及び自在軸継手の変位に合せて前記伸延軸を回動可能に所定角度傾斜させ、同時にカッター刃支持板も同角度傾斜させるようにしたことを特徴とする請求項２記載の切断装置。
【請求項６】
カッター刃の回転軸は可動軸受を介し、非切断時または切断時に応じてカッター刃支持板に設けたガイド穴に沿って移動自在な構成としたことを特徴とする請求項１または２記載の切断装置。
【請求項７】
冷却水タンク、冷却水導管、先端ノズルを具備する構成としたことを特徴とする請求項１または２記載の切断装置。
【請求項８】
駆動装置に変速装置を含む構成としたことを特徴とする請求項１または２記載の切断装置。
【請求項９】
請求項１または２に記載の切断装置において、傾斜角度調節機構及びその付属部分を省略し、カッター刃を上下する上下動機構を具備した傾斜角度固定式の切断装置としたことを特徴とする切断装置。
【請求項１０】
請求項１または２に記載の切断装置を用いて、垂直または斜めに切断し、切断面の傾斜角度が０°以上であることを特徴とする切断方法。
【請求項１１】
請求項９に記載の切断装置を用いて、斜めに切断し、切断面が傾斜角度を有することを特徴とする切断方法。
【発明の詳細な説明】
【技術分野】
【０００１】
本発明は、コンクリート舗装、アスファルト舗装を含むその他の面を切断する切断装置及び切断方法に関する。
【背景技術】
【０００２】
１）電気、ガス、上下水道、通信、等の埋設工事では、コンクリート舗装、アスファルト舗装を施した道路、或いはその他の必要個所に平面的に見て長い溝を掘削して後、埋設工事を施工するのが通例である。
【０００３】
２）コンクリートカッターとして、舗装道路の両側に配備されるＬ型の側構コンクリートを１回の切断作業で所要長さに切断できると共に、ガードレールを取り外さなくてもそのガードレールの下で舗装面や前記Ｌ型側溝切断することができ、しかも、通常の舗装道路のカッターやコンクリートの切断用としても使用できるコンクリートカッターを提供するために、「フレームの後部に手掛け部を設け下部に後輪を取付けると共に上部にエンジンを搭載し、且つ、回転刃の駆動時に通水して該回転刃を冷却する冷却用の水タンクを装備した前記フレームの前部側を、切断しようとするＬ型コンクリート側溝ブロックに対応させて適宜長さ延長形成し、当該フレーム延長部の先端側に、前記側溝ブロックの切断に対応できる口径の大きなコンクリート切断用の回転刃を取付けて該回転刃を前記エンジンにより駆動するようにした。」提案が開示されている（例えば、特許文献１参照。）。
【特許文献１】実用新案登録第３０５２６５３号
【発明の開示】
【発明が解決しようとする課題】
【０００４】
然しながら上述の従来例では、１）の場合、図１１（ａ）、（ｂ）、（ｃ）に示すように、掘削した溝の壁面が垂直または垂直に近い状態では、切断した壁面が崩壊しやすく、また、埋設物を埋設し充填補修した後、垂直切断後の壁面と補修材とがずれ易く、また切断面に沿って雨水等が浸透して路面の沈下現象等の不具合が生じやすい。
【０００５】
２）特許文献１の例では、Ｌ型コンクリート側溝ブロック対応させて適宜長さ延長し、フレーム延長部の先端側に前記側溝ブロックの切断に対応できる口径の大きなコンクリート切断用の回転刃を取付けて該回転刃をフレームに搭載したエンジンにより駆動するように構成したから、従来、表、裏いずれか一面からの切断は困難とされていたＬ型コンクリート側溝ブロックの切断を表、裏いずれか一面から１回の切断作業で切断することができる」としているが、切断する角度については説明がされてなく、前述の１）の場合の不具合を解消することは出来ない。
【０００６】
本発明は、上述の点に着目して成されたもので、切断角度を垂直切断を含む傾斜角度をつけて斜めに切断する機能を備えた切断装置及び切断方法を提供することを目的とする。
【課題を解決するための手段】
【０００７】
本発明は、下記構成を備えることにより上記課題を解決できるものである。
【０００８】
（１）モータ駆動装置、駆動伝達機構、カッター刃からなる切断装置において、前後に移動用車輪を備えた機体フレームに、前記モータ駆動装置を搭載した基盤を前記機体フレーム上に重ねるように配設し、カッター刃及びカッター刃の回転軸を非切断時、切断時に応じて上下動する可動軸受を介して支持するカッター刃支持板を前記基盤の縁部に垂直に固設し、この同一側縁部において前記基盤と前記機体フレームを蝶番部を用いて回動傾斜自在に接続し、前記カッター刃支持板を前記基盤と共に傾斜自在に傾斜角度調節機構を備えると共に前記カッター刃を前記カッター刃支持板の所定傾斜角度に沿って上下動させる上下動機構を設け、路面等の垂直または傾斜切断操作自在とした切断装置。
【０００９】
（２）エンジン駆動装置、駆動伝達機構、カッター刃からなる切断装置において、前後に移動用車輪を備えた機体フレームに、エンジン駆動装置を搭載したエンジンベースを前記機体フレームの上に重ねるように配設し、該エンジンベースを上下動機構にてリンク部材を介して前記機体フレームの上方に浮上させる折畳機構を有し、且つ機体フレームの一側縁部に蝶番部を設け、該蝶番部を介してカッター刃及びカッター刃の回転軸を非切断、切断時に応じて上下動する可動軸受を介して支持するカッター刃支持板を設け、前記エンジンベースに軸受部材を介して平行に設けた駆動伝達軸を自在軸継手を介し、可傾回動自在に伸延してなる伸延軸を設け、更に該伸延軸に駆動伝達回転体を軸着し、該駆動伝達回転体を介してカッター刃の回転軸を回転駆動させ、更に前記カッター刃をカッター刃支持板の所定傾斜角度に沿って上下動させる上下動機構を有し、路面等の垂直または傾斜切断操作自在とした切断装置。
【００１０】
（３）前記傾斜角度調節機構及び上下動機構は流体圧駆動装置から成る前項（１）または（２）記載の切断装置。
【００１１】
（４）前記傾斜角度調節機構及び上下動機構はネジ式駆動装置から成る前項（１）または（２）記載の切断装置。
【００１２】
（５）折畳機構は、エンジン駆動装置を搭載したエンジンベースを機体フレームの上面に上下方向に重ねるように配設し、複数のリンク部材にて軸支して折畳み開閉自在な平行四辺形を形成し、該平行四辺形の変化に応じて移動する駆動伝達軸及び自在軸継手の変位に合せて前記伸延軸を回動可能に所定角度傾斜させ、同時にカッター刃支持板も同角度傾斜させるようにした前項（２）記載の切断装置。
【００１３】
（６）カッター刃の回転軸は可動軸受を介し、非切断時または切断時に応じてカッター刃支持板に設けたガイド穴に沿って移動自在な構成とし前項（１）または（２）記載の切断装置。
【００１４】
（７）冷却水タンク、冷却水導管、先端ノズルを具備する構成とした前項（１）または（２）記載の切断装置。
【００１５】
（８）駆動装置に変速装置を含む構成とした前項（１）または（２）記載の切断装置。
【００１６】
（９）前項（１）または（２）に記載の切断装置において、傾斜角度調節機構及びその付属部分を省略し、カッター刃を上下する上下動機構を具備した傾斜角度固定式の切断装置とした切断装置。
【００１７】
（１０）前項（１）または（２）に記載の切断装置を用いて、垂直または斜めに切断し、切断面の傾斜角度が０°以上である切断方法。
【００１８】
（１１）前項（９）に記載の切断装置を用いて、斜めに切断し、切断面が傾斜角度を有する切断方法。
【発明の効果】
【００１９】
路面等を垂直切断に加えて斜めに切断出来る機能を加えた切断装置としたことにより、切断条件を選択することができ、不測の事態を未然に防ぐことが出来る。
【発明を実施するための最良の形態】
【００２０】
以下、本発明に係る切断装置の最良の実施形態を説明する。
【００２１】
図１は、実施例１における切断装置の要部構成を示す立面図、（ａ）は、カッター刃が垂直状態の場合、（ｂ）は、カッター刃が所定角度傾斜した状態の場合、図２は、実施例１における切断装置の要部構成を示す平面図、図３は、実施例１における切断装置の要部構成を示す側面図、図４は、実施例１における切断装置の非切断時、切断時に対応したカッター刃上下動の作用を示す側面図、図５は、実施例１における切断装置の非切断時、切断時に対応したカッター刃上下動の作用を示す立面図、図６は、実施例２における切断装置のカッター刃が垂直状態の場合の要部構成を示す立面図、図７は、実施例２における切断装置のカッター刃が所定角度傾斜した状態の場合の要部構成を示す立面図、図８は、実施例２における切断装置の要部構成を示す平面図、図９は、実施例２における切断装置の要部構成を示す側面図、図１０は、切断面の傾斜角度がθの場合の例を示す断面図、図１１（ａ）は、従来例における垂直切断の場合の断面図、（ｂ）は、補修施工部分が沈下し易い状況を示す断面図、（ｃ）は、雨水等の影響を受け易い状況を示す断面図である。
【実施例１】
【００２２】
実施例１は、動力源としてモータ駆動装置１を用いた場合であり、例えば、Ｖプーリー２１及びＶベルト２２からなる駆動伝達機構２、刃先３１及び回転板３０１からなるカッター刃３等から構成される切断装置において、前輪４１及び後輪４２等の移動用車輪を備えた機体フレーム５に、モータ駆動装置１を搭載した基盤６を前記機体フレーム５上に重ねるように配設し、カッター刃３及びカッター刃３の回転軸３２を非切断時、切断時に応じて上下動する可動軸受８を介して支持するカッター刃支持板９を前記基盤６の縁部に垂直に固設し、この同一側縁部において前記基盤６と前記機体フレーム５を蝶番部７を用いて回動傾斜自在に接続し、前記カッター刃支持板９を前記基盤６と共に傾斜自在に傾斜角度調節機構Ｋ２を備えると共に前記カッター刃３を前記カッター刃支持板９の所定傾斜角度θに沿って上下動させる上下動機構Ｋ１を設け、路面等の垂直または傾斜切断操作自在としたことを特徴とする。尚、傾斜角度θは、自由に設定出来る構成としてある。
【００２３】
他の符号について、４３はバネ部材であり路面の凹凸を吸収するための緩衝機能を備えている。
【００２４】
傾斜角度調節機構Ｋ２及び上下動機構Ｋ１は流体圧駆動装置１６から形成され、傾斜角度調節機構Ｋ２は、図１（ａ）、（ｂ）及び図２に示すように、例えば油圧シリンダから形成される流体圧駆動装置１６の基部を機体フレーム５の所定位置にカッター刃３の傾斜方向に対して回動自在に支持部材１５２で支持し、ピストンロッドに連接される連接棒１７を、モータ駆動装置１を搭載した基盤６の蝶番部とは反対側の縁部の所定位置に所定高さ上方に突設した支持アーム１５の頂部に設けられ、且つカッター刃３の傾斜方向に対して回動自在の支持部材１５１に挿設し、図１（ｂ）に示すように、連接棒１７が伸びるに従って基盤６は蝶番部７を支点として開脚するように傾斜し、同時に前記基盤６に垂直に固設された前記カッター刃支持板９も傾斜し、所定傾斜角度θを保持することが出来る。
【００２５】
上下動機構Ｋ１は、図１（ａ）、（ｂ）及び図２に示すように、例えば油圧シリンダから形成される流体圧駆動装置１２の基部を基盤６の所定位置にカッター刃３の傾斜方向に沿って回動自在に支持部材１１２で支持し、ピストンロッドに連接される連接棒１３を、カッター刃３の回転軸３２の他端に設けられた軸受ブロック１０に突設した支持アーム１１の頂部に設けられ、且つカッター刃３の傾斜方向に沿って回動自在の支持部材１１１に挿設し、図１（ｂ）に示すように、連接棒１３が伸びた状態から後退して縮むに従ってカッター刃３の回転軸３２に軸着された可動軸受８がカッター刃支持板９に欠切されたガイド穴９１に沿って移動し、切断操作時にはカッター刃３が、例えば路面の所定個所に所定深さまで切り込むことが出来るように構成されている。
【００２６】
カッター刃３の回転駆動は、回転軸３２に軸着されたＶプーリー２１がモータ駆動装置１の駆動軸１０１及び駆動軸１０１に軸着されたＶプーリー１０２の回転駆動力がＶベルト２２を介して伝達される構成となっている。
【００２７】
その他の符号について、６１は基盤６にカッター刃支持板９を垂直に確固に固設支持するための補強部材（リブ）であり、３４はカッター刃３の安全カバーである。３３はカッター刃３の固定部材であり、カッター刃３の交換の際に着脱容易に構成されている。
【００２８】
符号３００は、上下動機構Ｋ１及び傾斜角度調節機構Ｋ２で用いた流体圧駆動装置１２、１６を作動させるための駆動源となる油圧ポンプ等の流体圧ポンプである。
【００２９】
尚、上下動機構Ｋ１及び傾斜角度調節機構Ｋ２のストッパー１４は連接棒１３の頂部に設けられ、またストッパー１７は連接棒１７の頂部に設けられ、所望位置決め可能な構成としてある。
【００３０】
また、傾斜角度調節機構Ｋ２及び上下動機構Ｋ１は、ネジ式駆動装置から成る構成とすることも出来る。
【実施例２】
【００３１】
実施例２は、例えば、動力源として燃料給油の関係から本体の傾斜を不向きとする液体燃料を使用するエンジン駆動装置２０を用いた場合であり、例えば駆動軸２０１、Ｖプーリー２０２、Ｖベルト２０３に駆動力を伝えるエンジン駆動装置２０、駆動伝達機構、カッター刃からなる切断装置において、前後に移動用車輪を備えた機体フレーム５０に、エンジン駆動装置２０を搭載したエンジンベース６０を前記機体フレーム５０の上に重ねるように配設し、該エンジンベース６０を上下動機構（図示略）にてリンク部材５０１を介して前記機体フレーム５０の上方に浮上させる折畳機構ＫＳを有し、且つ機体フレーム５０の一側縁部に蝶番部７０を設け、該蝶番部７０を介してカッター刃３及びカッター刃３の回転軸３０３を非切断、切断時に応じて上下動する可動軸受８１０を介して支持するカッター刃支持板８０を設け、前記エンジンベース６０に軸受部材２０４を介して平行に設けた駆動伝達軸２０５を自在軸継手８００を介し、可傾回動自在に伸延してなる伸延軸２０６を設け、更に該伸延軸２０６に駆動伝達回転体２０７を軸着し、該駆動伝達回転体２０７を介してカッター刃３の回転軸３０３を回転駆動させ、更に前記カッター刃３をカッター刃支持板８０の所定傾斜角度に沿って上下動させる上下動機構（図示略）を有し、路面等の垂直または傾斜切断操作自在の構成としてある。
【００３２】
折畳機構ＫＳは、エンジン駆動装置２０を搭載したエンジンベース６０を機体フレーム５０の上面に上下方向に重ねるように配設し、複数のリンク部材５０１にて軸支して折畳み開閉自在な平行四辺形を形成し、該平行四辺形の変化に応じて移動する駆動伝達軸２０５及び自在軸継手８００の変位に合せて前記伸延軸２０６を回動可能に所定角度傾斜させ、同時にカッター刃支持板８０も同角度傾斜させるようにしたことを特徴とする。
【００３３】
前記実施例１及び２において、カッター刃３の回転軸３２、３０３は、可動軸受８、８１０を介し、非切断時または切断時に応じてカッター刃支持板９、８０に設けたガイド穴９１、８２０に沿って移動自在な構成としてある。
【００３４】
また、冷却水タンク、冷却水導管、先端ノズルを具備する構成とすることも出来る。
【００３５】
他の符号について、９０３は前輪の車軸、９０４は実施例１の４３と同様バネ部材であり路面の凹凸を吸収するための緩衝機能を備えている。９０５、９０６は連結桿であり、９０７はバネストッパーである。９４は後輪の車軸である。
【００３６】
また、駆動装置に変速装置を含む構成とすることも出来る。
【００３７】
前記実施例１または２に記載の切断装置において、傾斜角度調節機構Ｋ２及びその付属部分を省略し、カッター刃３を上下する上下動機構Ｋ１を具備した傾斜角度固定式の切断装置とすることも出来る。
【００３８】
前記実施例１または２に記載の切断装置を用いて、垂直または斜めに切断し、切断面の傾斜角度が０°以上である切断方法。
【００３９】
請求項９に記載のカッター刃を上下する上下動機構を具備した傾斜角度固定式の切断装置を用いて、例えば道路等を斜めに切断し、切断面が傾斜角度を有する切断方法。
【００４０】
図１０に、斜めに切断し、切断面が傾斜角度θの場合の例を示してある。
【００４１】
切断方法は、本発明に係る切断装置以外の切断装置、カッター等を用いても良く、道路やコンクリートを切断できる装置であれば良く、装置を限定するものではない。
【産業上の利用可能性】
【００４２】
道路等の地下に埋設物を埋設施工する際に、開削工事が必要となり、切断面を斜めに傾斜角度をつけて開削することによって、埋め戻した後の補修施工部分の沈下や、雨水等の浸透による弊害を防ぐことが出来る。
【図面の簡単な説明】
【００４３】
【図１】実施例１における切断装置の要部構成を示す立面図、（ａ）カッター刃が垂直状態の場合、（ｂ）カッター刃が所定角度傾斜した状態の場合
【図２】実施例１における切断装置の要部構成を示す平面図
【図３】実施例１における切断装置の要部構成を示す側面図
【図４】実施例１における切断装置の非切断時、切断時に対応したカッター刃上下動の作用を示す側面図
【図５】実施例１における切断装置の非切断時、切断時に対応したカッター刃上下動の作用を示す立面図
【図６】実施例２における切断装置のカッター刃が垂直状態の場合の要部構成を示す立面図
【図７】実施例２における切断装置のカッター刃が所定角度傾斜した状態の場合の要部構成を示す立面図
【図８】実施例２における切断装置の要部構成を示す平面図
【図９】実施例２における切断装置の要部構成を示す側面図
【図１０】切断面の傾斜角度がθの場合の例を示す断面図
【図１１】（ａ）従来例における垂直切断の場合の断面図、（ｂ）補修施工部分が沈下し易い状況を示す断面図、（ｃ）雨水等の影響を受け易い状況を示す断面図
【符号の説明】
【００４４】
１  モータ駆動装置
２  駆動伝達機構
２１、１０２、２０２  Ｖプーリー
２２、２０３、２０８、２１２  Ｖベルト
３  カッター刃
３１  刃先
３２、３０３  回転軸
３００  流体圧ポンプ（油圧ポンプ）
３０１  回転板
４１、９２  前輪
４３、９０４  バネ部材
４２、９３  後輪
５、５０  機体フレーム
６  基盤
６０  エンジンベース
７、７０  蝶番部
８、８１０  可動軸受
９、８０  カッター刃支持板
１０  軸受ブロック
１１、１５  支持アーム
１２、１６  流体圧駆動装置
１３、１７連接棒
１４、１８  ストッパー
１０１、２０１  駆動軸
１１１、１１２、１５１、１５２  支持部材
６１  補強部材（リブ）
３３  固定部材
３４  安全カバー
２０  エンジン駆動装置
２０４  軸受部材
２０５  駆動伝達軸
６０  エンジンベース
５０１  リンク部材
８００  自在軸継手
９１  ガイド穴
２０６  伸延軸
２０７  駆動伝達回転体
Ｋ１  上下動機構
Ｋ２  傾斜角度調節機構
ＫＳ  折畳機構
【図１】
2005097971.tif 000003
【図２】
2005097971.tif 000004
【図３】
2005097971.tif 000005
【図４】
2005097971.tif 000006
【図５】
2005097971.tif 000007
【図６】
2005097971.tif 000008
【図７】
2005097971.tif 000009
【図８】
2005097971.tif 000010
【図９】
2005097971.tif 000011
【図１０】
2005097971.tif 000012
【図１１】
2005097971.tif 000013